(57)【要約】流体捕捉用装置は、尿又はペニスから放出され得る他の分泌物を含有し、管理することができ、本明細書中に記載されています。 流体捕捉デバイスは、陰茎の少なくとも一部に適合し、シースを含むことができます。 例えば、 シースはペニスの軸と少なくとも陰茎の頭部の一部を覆う先端部の少なくとも一部を覆っている近位部分を含むことができます。 また、流体捕捉デバイスは、陰茎からの排出の分泌物を吸収することができる吸収剤を含むことができます。 吸収剤を除去し、シースから交換することができ、シースは少なくとも部分的にペニスに固定されている間を含みます。
2016531671.tif 000002
【特許請求の範囲】
【請求項１】
、流体、陰茎の少なくとも一部の上に配置されて提供するためのデバイスを取り込みます。
筒状は、少なくとも周囲に拡張するためである近位部を含むシース
陰茎のシャフトの少なくとも一部を覆うように輪郭された先端部の一部
ペニスの頭、第一の直径を有する第一の開口部を含む近位部
そして第二の直径を有する第二の開口部を有する先端部と、そして
シースの内面に沿って配置された吸収性,吸収剤
第二の開口部を介して着脱可能に構成されています。
【請求項２】
. 請求項1に記載の流体捕捉装置、 シースは、保持機能を備えていますペニスへのシースの位置を確保するのを助けます。
【請求項３】
. 保持機構は、圧延カフを含む、請求項2の流体捕捉装置、シースの近位端に配置されます。
【請求項４】
. 保持機能が含むことを特徴とする請求項2 〜3の流体撮像装置、設定されている外部のフラップが固定位置と非固定位置を形成します。
【請求項５】
. 〜4項2の流体捕捉装置、前記保持機能が含まれてシースの近位端に位置する圧縮スリーブ。
【請求項６】
. 〜5項2の流体捕捉装置、ここで保持機能が含まれて構成された保持リングと、円周の周りに圧縮力を提供するためにシースの一部。
【請求項７】
. 〜6項2の流体捕捉装置、ここで保持機能は、近位で周ポケットを通って延びている調節可能な保持コードを含んでいますシースの終わり。
【請求項８】
. 〜7項2の流体撮像装置、ここで保持機能が含まれて近位端の周ポケットを通って延びる変形可能な弾性要素シースの。
【請求項９】
.さらに把持機能を含む、請求項1〜8の流体捕捉装置は、それは、に結合または吸収性と統合の少なくとも一つであります前記把持特徴は、少なくともシースの吸収を除去を支援するように構成されています。
【請求項１０】
. 請求項1から9までの流体捕捉装置、ここで吸収性が出て作られています一方向透過性材料の1以上、吸収性材料、および水分耐熱材料。
【請求項１１】
.前記吸収剤は、少なくとも含むことを特徴とする請求項1〜10の流体捕捉装置、の位置を確保して支援するための1つの外部位置決め機能シースに吸収性の相対的な。
【請求項１２】
. 外部位置決め機能を含む、請求項11、12の流体撮影装置接着剤押出し幾何学的特徴の一つ以上。
【請求項１３】
. 吸収剤が含まれる、請求項1〜12の流体撮像装置、再利用可能なコンポーネントおよび使い捨てコンポーネント。
【請求項１４】
. 請求項1から13までの流体捕捉デバイスは、前記吸収性フォーム折り畳まれた構成と拡張構成。
【請求項１５】
.吸収剤が含まれる、請求項1 〜15の流体捕捉装置陰茎の頭部の少なくとも一部を覆う空洞を有する中空形状。
【請求項１６】
.陰茎の少なくとも一部の上に配置するための装置を備えた流体捕捉。
管状のペニスとペニスの頭をカバーするために輪郭された先端部のシャフトの少なくとも一部の周りに拡張するためである近位部を含むシース、開口部を含む近位部が上に適合するようになってヘッドと述べました。
少なくとも一つの弾性バンド部に沿って開口部は、前記第一弾性バンドは弾性的に述べシャフトに対して付勢され、前記配置され、
内部に配置された吸収性部分は、遠位部分が、前記吸収性部分は、陰茎放電を吸収するように適合され、前記しました;
シースが張設ペニス言った上にフィットするようになっていることが、
シースは、選択した色を有し、そして
色は、前記陰茎の皮膚の色に一致するように選択されます。
【請求項１７】
.陰茎の少なくとも一部の上に配置するための装置を備えた流体捕捉。
管状のペニスとペニスの頭をカバーするために輪郭された先端部のシャフトの少なくとも一部の周りに拡張するためである近位部を含むシース、開口部を含む近位部が上に適合するようになってヘッドと述べました。 
少なくとも一つの弾性バンド部に沿って開口部は、前記第一弾性バンドは弾性的に述べシャフトに対して付勢され、前記配置され、
間に配置された第2の弾性バンド部は、最初の弾性部と前記遠位部分を言いました。
内部に配置された吸収性部分は、遠位部分が、前記吸収性部分は、陰茎放電を吸収するように適合され、前記しました;
シースが張設ペニス言った上にフィットするようになっていることが、
シースは、選択した色を有し、そして
色は、前記陰茎の皮膚の色に一致するように選択されます。
【請求項１８】
陰茎の少なくとも一部の上に配置するための装置を備えた流体捕捉。
管状のペニスとペニスの頭をカバーするために輪郭された先端部のシャフトの少なくとも一部の周りに拡張するためである近位部を含むシース、開口部を含む近位部が上に適合するようになってヘッドと述べました。
少なくとも一つの弾性バンド部に沿って開口部は、前記第一弾性バンドは弾性的に述べシャフトに対して付勢され、前記配置され、
間に配置された第2の弾性バンド部は、最初の弾性部と前記遠位部分を言いました。
取り外し可能に内部に配置された吸収性部分は、遠位部分が、前記吸収部が陰茎放電を吸収するように適合され、使用時に新しい吸収部分で置換される、前記しました;
シースが張設ペニス言った上にフィットするようになっていることが、 
シースは、選択した色を有し、そして
色は、前記陰茎の皮膚の色に一致するように選択されます。
【請求項１９】
.方法、構成：
流体捕捉装置にペニスの一部を挿入し、流体捕捉装置筒状は、少なくとも周囲に拡張するためである近位部を含むシースペニスと少なくとも一部覆うように、輪郭された遠位部分Fパート0 FAシャフト0ペニスの頭、第一の直径を有する第一の開口部を含む近位部直径および第二の直径を有する第二の開口部を有する先端部、内面に沿って配置された吸収性を含む、流体捕捉装置シースは、吸収剤は、第二の開口部を介して着脱可能に構成されています。
【請求項２０】
. 請求項19に記載の方法は、さらに、流体の吸収性を除去することからなりますシースは陰茎に固定されている間、デバイスをキャプチャします。
【発明の詳細な説明】
【技術分野】
【０００１】
本出願に記載の主題は、流体捕捉装置および関連した方法に関する。
【０００２】
［関連出願の相互参照］
本出願は、米国特許法第119条(e)の下、2013年8月12日に提出された米国特許第61/865108号の優先権を主張し、「LPシールド（漏れプロテクター）は全体が参照により本出願に援用される。
【背景技術】
【０００３】
多種多様な医学的条件によって、制御できない、または意図しない陰茎からの漏れをもたらす場合がある。 こうした原因は、急性、または慢性的に発する。 典型的な原因は、生殖器や尿路の感染症、薬の副作用、医療処置への生理的反応、陰茎に関与する医療措置、高齢化、生殖器や尿腺または器官の疾患、性行為などを含む。
【発明の開示】
【発明が解決しようとする課題】
【０００４】
製品によっては、特に総吸収剤（例えば、おむつやパッド）から留置装置（例えば、カテーテル）といったもので尿失禁に対処するが、こういった製品には欠点がある。 例えば、これらの製品は、不快感を与えるだけではなく、プライバシーや羞恥心の損失につながる日常活動における支障をきたす可能性がある。 更に、いくつかのこういった製品は交換の必要があるため（例えば、漏れ、臭気などを防ぐ）、かなり分厚い換えを持ち運ばなければいけない。
【発明の概要】
【０００５】
本出願の主題は、陰茎からの流体を捕捉する装置および方法を含む。 本出願書は明細書で明示している開示装置も挙げられる。
【課題を解決するための手段】
【０００６】
一態様で、陰茎の少なくとも一部に設置するこの流体捕捉装置は、近位部分は陰茎の軸の少なくとも一部分を覆う拡張するチューブ状の鞘のようなもので、遠位部分は陰茎頭部の一部を覆うよう輪郭されている。近位部分は第一の開口部を包む直径でできており、遠位部分は第二の開口部を包む直径でできている。
また、流体捕捉装置は、鞘の内面に沿って吸収性のある吸収剤が配置されており、第二の開口部を介して自在に着脱できるよう構成されている。
【０００７】
以下の多様な特徴により、必要に応じて、様々な組み合わせが可能である。 例えば、流体捕捉装置は、鞘の位置を陰茎に固定させる保持構造を有している。
また、いくつかの形態では、保持構造は鞘の近位端に位置する丸まったカフを有する。 さらに、保持構造の実施形態は、固定位置と非固定位置を形成するように構成されている外部のフラップを含むんでいる。 また、保持構造のいくつかの実施形態では、鞘または鞘の一部の周りに圧縮力を加えるよう構成された保持リングの近位端に位置する圧縮スリーブを有する。 また、鞘の近位端に周ポケットを通って延びている調節可能な保持コードも有している。 さらに、保持機構のいくつかの実施形態では、シースの近位端に周ポケットを通って延びる変形可能な弾性要素を含むことができます。
【０００８】
また、流体捕捉装置は、把持機構は、少なくともシースの吸収を除去を支援するように構成され、に結合又は吸収と統合の少なくとも一つの把持機能を含むことができます。 さらに、流体捕捉装置のいくつかの実施形態では、少なくとも一方向に透過性の材料の、吸収材料、及び耐湿性材料から作られた吸収性を有することができます。 いくつかの実施形態では、吸収剤は、吸収性シースの位置決めを確保を支援するための少なくとも1つの外部の測位機能を含むことができます。 例えば、外部の位置決め機能は、接着剤押出し幾何学的特徴の一つまたは複数を含むことができます。
【０００９】
さらに、吸収性のいくつかの実施形態は、再利用可能なコンポーネントおよび使い捨てコンポーネントを含めることができます。 また、吸収剤は、折り畳まれた構成と拡張構成を形成することができます。 少なくとも吸収体のいくつかの実施形態では、陰茎の頭部の少なくとも一部を覆う空洞を有する中空形状を含むことができます。
【００１０】
流体捕捉装置内にペニスの一部を挿入することができる流体含む撮像装置の例示的な方法のシャフトの少なくとも一部の周りに延びる管状である近位部分を含むシースを有する流体撮像装置陰茎と陰茎の頭部の少なくとも一部を覆うように輪郭された遠位部分。 また、流体捕捉装置は、第1の直径と第二直径を有する第二の開口部を含む遠位部分を有する第一の開口部を含む近位部を有することができ、流体捕捉装置は、内面に沿って配置された吸収性を含むことができ第二の開口部を介して着脱可能に構成された吸収性とシース。
【００１１】
本方法のいくつかのバリエーションにおいて、本方法は、シースは、ペニスに固定されている間、流体捕捉装置からの吸収剤を除去することを含むことができます。 また、流体キャプチャデバイスのいくつかの方法は、吸収性が第2の開口部を介してシースから除去されることを含めることができます。 さらに,流体キャプチャデバイスのいくつかの方法
することができる含めますシースに新しい吸収剤を挿入します経てシースの側面に沿ってスリット、ここで新しい吸収剤が挿入されていますシースは、ペニスに固定されています。 また、流体キャプチャデバイスのいくつかの方法保持機能でペニスにシースを確保含めることができます。
【００１２】
本明細書に記載の主題の一つ以上の変形の詳細は、添付の図面および以下の説明に記載されています。 本明細書に記載の主題の他の特徴および利点は、説明および図面から、および特許請求の範囲から明らかになるであろう。
【図面の簡単な説明】
【００１３】
添付の図面は、本明細書に組み込まれ、本明細書の一部を構成しています、本明細書に開示された主題の特定の態様を示し、 説明と共に、開示された実装に関連するのいくつかを説明するのに役立ちます。 図面において、
【００１４】
図1 陰茎の上に位置する流体撮像装置の一実施形態の断面図を示しています、シースと取り外し可能な吸収剤を含む流体撮像装置と、
【００１５】
図2陰茎の上に位置する流体捕捉装置の別実施形態の断面図を示、流体捕捉用装置は、ロール状のカフを含む保持機能を持ちます。
【００１６】
図3a  陰茎の上に位置する流体撮像装置の別実施形態の上面図を示しています、流体キャプチャデバイスが保護されていない位置で外部フラップを含む保持機能を有します。
【００１７】
図3B 流体捕捉装置の上面図を示しています。図3A 固定位置で外部フラップ付き。
【００１８】
図. 4 陰茎の上に位置する流体捕捉装置の別の実施形態の側面図を示しています、 流体捕捉用装置は、圧縮スリーブを含む保持機能を有します。
【００１９】
図5A陰茎の上に位置する流体捕捉装置の別の実施形態の側面図を示しています、流体捕捉用装置は、保持リングを含む保持機能を有します。
【００２０】
図5B の保持リングの上面図を示しています図5B; 
【００２１】
図6A 、陰茎の上に位置する流体捕捉装置の別の実施形態の側面図を示しています 、流体捕捉装置は、保持コードを含む保持機構を有します。
【００２２】
図6B、保持コードの上面図を示しています、 図6 A; 
【００２３】
図7 陰茎の上に位置する流体撮像装置の別の実施形態の上面図を示しています、流体捕捉用装置は、単一の遊離エンド保持コードを含む保持機能を有します。
【００２４】
図8A、 折り畳まれた状態で変形可能な弾性要素を含む保持機構を有する流体撮像装置のさらに別の実施形態の上面図を示しています。
【００２５】
図8B 変形可能な弾性要素の上面図を示します。拡張された状態で図8A; 
【００２６】
図8C 変形可能な弾性要素の上面図を示します。拡張された状態で図8A とペニスの上に位置。
【００２７】
図9A、 拡張構成での吸着剤の実施形態の側面図です。
【００２８】
図9B、折り畳まれた構成における図9Bの吸収体の側面図です。
【００２９】
図10A、拡張構成における吸着剤の別の実施形態の側面図です。
【００３０】
図10B、拡張構成における吸収のさらに別の実施形態の側面図です。
【００３１】
図1 1A、折り畳まれた構成における吸着剤のさらに別の実施形態の側面図です。
【００３２】
図1 1B、拡張構成における図1 1Aの吸収性の側面図を示します。
【００３３】
図12A、非対称構造を有する吸収体のさらに別の実施形態の第1の側面図を示します。
【００３４】
図12B、吸収性の第二の側面図を示しています 図12A
【００３５】
図13、接着剤を含む外部の測位機能を有する吸収性さらに別実施形態の側面図です。
【００３６】
図14、少なくとも一つの丸い突出部を含む吸収有する外部位置決め機能のさらに別の実施形態の側面図です。
【００３７】
図15、少なくとも一つの環を含む吸収有する外部位置決め機能のさらに別の実施形態の側面図です。
【００３８】
図16、テーパ状の円筒形状を有する固定要素の実施形態を含む把持機構に結合された吸収性の側面図を示しています、確保機能は、シースに吸収剤を位置決めを支援するように構成されています。
【００３９】
図17、球状の形状を有する固定要素の別の実施形態を有する把持機構に結合された吸収体の側面図です。
【００４０】
図18、 再利用可能なコンポーネントと少なくとも部分的に再利用可能な構成要素内に含まれることができる吸収剤を含む吸着構造の分解図を示します。
【００４１】
図19、材料の複数のタイプを含む吸収剤の一部の断面図を示しています、そのような方向性透過性材料として、吸収性材料、そして耐湿性材料。
【００４２】
図20、吸収性統合タブを含む把持機能を有する別の実施形態のさらに断面図を示します。
【００４３】
図21、吸収性が一体化シームを含む把持機能を有するさらに別の実施形態の断面図を示します。そして
【００４４】
FIG.22A-22D模式的に図1の流体捕捉装置を使用する方法を説明します、取り外しおよび吸収剤の交換を含みます。
【００４５】
ときに現実的な、同様の参照番号は同様の構造を表し、特徴、 または要素。
【発明を実施するための形態】
【００４６】
本開示は、含まれており、尿を管理するように設計された流体捕捉デバイスの様々な実施形態を説明し、または陰茎の尿道から放出され得る他の分泌物 （放電）。 流体キャプチャデバイスも含まれており、同様に陰茎の構造上の他のソースからの分泌物を管理することができます。 例えば、 流体捕捉装置は使用者の服装を変更することなしにユーザ放電を管理するための衛生的かつ離散的方法をユーザに提供することができます、 物理的な活動や妥協のプライバシー。 本明細書に記載液体捕捉デバイスは最小侵入ような方法で放電または漏れに対する保護を提供することができます。
【００４７】
封じ込めを提供できる流体キャプチャデバイスが集まり、ペニスから分泌させることができる排泄物や排出物の多数のものを制御することを意味します。 加えて、流体捕捉装置は、陰茎への解剖学的に収容するように設計することができます、最小限のユーザーに侵入し、下着のユーザーの選択の完全に独立して。
【００４８】
流体捕捉装置はペニスの少なくとも一部に適合しシースを含むことができ、陰茎の軸と少なくとも陰茎の頭部の一部を覆う先端部の少なくとも一部を覆っている近位部分を含むことが。 シースは少なくとも弛緩陰茎の形状及び輪郭に適合するように構成することができます。 また、流体捕捉デバイスは、陰茎からの排出の分泌物を吸収することができる吸収剤を含むことができます。 吸収剤を除去し、シースから交換することができ、シースは少なくとも部分的にペニスに固定されている間を含みます。 例えば、使用される吸収剤は、新たな吸収剤に交換するために、シースから取り外すことができます、吸収に流体の過剰吸収を防止し、漏れを防止するためになど、衛生上の理由など
【００４９】
加えて、流体捕捉デバイスはシースの近位部分における第一の開口部とシースの遠位部分における第二の開口部を含むことができます。 第一の開口部は大きさと陰茎を挿入し、シース内に位置決めできるように成形することができます。 大きさ及び形状とすることができる第二の開口部は、吸収体がシースから除去されることを可能にします、またシースから不要な除去からの吸収性を防止しながら。 吸収剤は様々な流体を吸収して支援することができる様々な材料を含むことができ（例えば、排泄物、排出量）。 また、吸収剤はシース内の吸着剤の位置を固定して支援することができる特徴を含むことができます。
【００５０】
さらに、把持機構は吸収剤を配合するか結合することができます。 これは削除してユーザを支援することができます、（例えば、引っ張りを介して）シースからの吸収性、ユーザーがシースを装着している間を含みます。 例えば、流体キャプチャデバイスを身に着けている間、ユーザーは把持機構を引っ張ると、第二の開口部を通って吸収性を削除することができます。 まだシースを装着したまま、彼は、ユーザー、新しい吸収性と吸収性を置き換えることができます、シースの長さに沿ったスリットを介してのような。 スリットはまた、シースからペニスを削除する方法を提供することができ、排尿時のような、完全にペニスから流体キャプチャデバイスを取り外すことなく。 これは流体捕捉装置の個別の使用を可能にすることができます。。 流体捕捉装置は陰茎への流体捕捉装置の位置を固定して支援することができる1つまたはそれ以上の保持特徴を含むことができます。
【００５１】
図1、流体捕捉装置100の実施形態を示していますこれは、取り外し可能な流体を収集するためのペニス105の少なくとも一部の上に配置することができます。 流体捕捉装置100は、近位部分104および遠位部分106を含むシース102を含むことができます。 近位部分102はペニス105のシャフトの一部に沿って延びることができる管状構造体を含むことができます。 遠位部分106は大きさおよび陰茎の頭部の少なくとも一部に適合するように成形することができます。 加えて、 近位部分102および遠位部分106の近位端は、最初よりも小さくすることができる第二の開口部110第二の直径を有する、含むことができ
です 第一の開口部108は、取り込み装置100内の流体の陰茎の挿入及び位置決めを可能にする大きさ及び形状とすることができます。 以下でより詳細に説明するように、例えば、遠位部分106の遠位端に配置することができる第二の開口部110は、吸収剤の除去を可能にすることができます。 示され、遠位部分106の遠位端に位置する吸収剤を除去するための第二の開口部1 10を有するものとして説明したが、第二の開口部110は、遠位部分106に沿ってどこにでも配置することができ、かつ追加的に又は代替的に沿って配置することができ近位部分104。
【００５２】
加えて、流体捕捉装置100は、シース102の遠位部分106に配置することができる吸収剤120を含むことができます。 吸収体120は少なくとも部分的に覆うまたはペニス105の頭を取り囲むことができます、排泄流体の撮影を可能にすることができます、例えば、尿道を通して。 しかし、吸収体120は、遠位部分102のシース106内に配置され、陰茎の頭部を包囲されるように示されているが、吸収体120は、シース102内の任意の場所に配置され、形や大きさの任意の数を持つことができ、このような装置の他の用途に適応するためのように、（例えば、陰茎の1つ以上の部分に薬剤を適用すること、ペニスに創傷の上の衛生カバーを提供）。
【００５３】
吸収体120はに取り付けられたまたは把持機能122と統合することができ、これは削除したり、吸収性120を交換するのどちらかを支援することができます。 例えば、ユーザは第二の開口部110を介して吸収体120を引っ張るために把持機能122を引っ張ることができます。 加えて、ユーザーインサート第一の開口部108のいずれかを介して、またはシースのスリットを介して新たな吸収剤120（例えば、図を参照してください。22A-22D）を
シース102内吸収性120の位置決めを支援するために把持機能122を使用しています。 吸収剤120はいずれかのシース102から削除されるか、ユーザが流体キャプチャ装置100を装着している間使用するためのシース102に挿入することができます。
【００５４】
図2、取り外し可能流体を収集するためのペニス205の少なくとも一部の上に配置することができる流体捕捉装置200の別の実施形態を示します。 流体捕捉装置200は、シース202と、新しい吸収剤220と交換することができる取り外し可能な吸収体220を含むことができます。 えば、吸収体220はシースの第二の開口部210を通ってシースから取り外すことができます、シースはペニス205の上に配置されている間を含みます、等は、上述しました。 さらに、 シース202はペニス205に比べて流体撮像装置200の位置を確保して支援することができます保持特徴240を持つことができます。
【００５５】
図2に示すように、保持機構はロールカフ242を含むことができます。 圧延カフ242はシース202の近位端に余分な材料から作ることができます。 余分な材料はロールアップするために使用することができ、ペニス205のシャフトの一部に沿って周方向の圧縮力を生成するためです。 圧延カフ242を形成するために使用される余分な材料はシース202の残りの部分と同じまたは異なる材料から作ることができます。
【００５６】
図3A 3B、取り外し可能な流体を収集するためのペニス305の少なくとも一部の上に配置することができる流体捕捉装置300の別の実施形態を示します。 例えば、装置300は新たな吸収剤で置き換えることができシース302と、取り外し可能な吸収剤を含むことができ上述しました。 例えば、 吸収剤はシース302第二の開口部を通ってシース302から除去することが、できますシース302はペニス205の上に位置しているなどの、等は上述しました。 さらに、シース302はペニス305にデバイス300の位置を確保して支援することができます保持特徴340を持つことができます。
【００５７】
保持特徴340は固定位置を形成することができる外部フラップ344を含むことができ、（図3Bを参照）無担保ポジション（図3Aを参照）。 外部フラップ344はシース320の基端部から余分な材料から作ることができます（例えば隣接するザ・
外部フラップ344を形成するように折り畳むことができるシースの近位端部）。 また、外部フラップ344はシース302の側に結合されている機能することができます
陰茎305にシース302の位置決めを確保するためのペニスの周りに鞘を収縮を支援することができます。
外部フラップ344は固定位置に外部フラップ344を確保して支援することができる接着剤を含むことができます 
接着剤は外部フラップが固定位置から無担保になることを許可することができ、ペニス305からデバイス300を除去するためになど。
【００５８】
図4、取り外し可能な流体を収集するためのペニス405の少なくとも一部の上に配置することができる流体捕捉装置400の別の実施形態を示します。 例えば、デバイス400はシース402と新しい吸収剤と交換することができる取り外し可能な吸収体420を含むことができ、上述しました。 例えば、吸収体420はシース402の第二の開口部410を通ってシースから取り外すことができます、シースは、ペニス405の上に配置されている間を含みます、等は上述しました。 さらに、シース402はペニス405にデバイス400の位置を確保して支援することができます保持特徴440を持つことができます。
【００５９】
保持機構440は、ペニス405の軸を中心に周方向の圧縮力を与えることができる弾性圧縮スリーブ446を含むことができます。 圧縮スリーブ446は円周の圧縮力を加えることができる材料から作ることができます。 例えば使用中に、圧縮スリーブ446はペニスをシース402内に挿入して位置決めされることを可能にするために拡張することができます。 圧縮スリーブ446は圧縮スリーブ446は、周方向の圧縮力を適用することを可能にするために緩和することができます、陰茎405にシース402を確保を支援します。
【００６０】
圧縮スリーブ446は、シース402の残りの部分と同一または異なる材料から作ることができます。 加えて、圧縮スリーブ446はすることができます
接合を含む種々の方法でシース402に取り付けられ、縫い付け、等 圧縮スリーブ446は陰茎の軸に圧縮スリーブ446の位置を確保して支援することができ、圧縮スリーブ446の内面に沿って表面の特徴を含むことができます（例えば経由摩擦）。 さらに、圧縮スリーブ446は、換気を促進する特徴を含むことができる（例えば、多孔質材料）ペニスの皮膚と圧縮スリーブ446の間。
【００６１】
図5A5B、取り外し可能な流体を収集するためのペニス305の少なくとも一部の上に配置することができる流体捕捉装置300の別の実施形態を示します。 例えば、デバイス500は、シース502と、新しい吸収剤520と交換することができる取り外し可能な吸収体520を含むことができ、上述しました。 例えば、吸収体520はシース502の第二の開口部510を通ってシース502から除去することができます、シース502はペニス505の上に位置しているなどの、等は、上述しました。 さらに、シース502はペニス505にデバイス500の位置を確保して支援することができます保持特徴540を持つことができます。
【００６２】
保持機構540は保持リング548を含むことができ、これは解放可能シース502に結合することができます。 保持リング548は、それが結合されて完全にシース502から取り外すことができるようにシース502とは別個の部品とすることができます、図5Bに示すように。 保持リング548はシース502の周りに円周方向の圧縮力を加えることができます、これはペニス505にシース502の位置を確保して支援することができます。 保持リング548は円形または円形で環状の形状を有することができます（例えば、楕円形、等）プロファイル。 加えて、保持リング548は一つまたは様々な材料の複数の段階とすることができます、エラストマー材料を含みます、シリコーンなど、 ラテックスゴム、合成ゴム、等
さらに、保持リング548はユーザのためにシース502と快適さの保持率の所望のレベルを達成するために様々なサイズで製造することができます。
【００６３】
例えば、使用中、 保持リング548は保持リング548はペニス505のシース502とシャフトの上に配置されることを可能にするために拡張することができます。 保持リング548はペニス505の上に配置されたシース502上に弛緩させることができます、 保持リング548はペニス505上の所望の位置にシース502を保持することを可能にするためです。
【００６４】
図6Aと6B、取り外し可能な流体を収集するためのペニス605の少なくとも一部の上に配置することができる流体捕捉装置600の別の実施形態を示します。 例えば、デバイス600は、シース602と、新しい吸収剤620と交換することができる取り外し可能な吸収体620を含むことができ、上述しました。 例えば、吸収体620はシース602の第二の開口部610を通ってシース602から除去することができます、 シース602はペニス605の上に位置しているなどの、等は上述しました。 さらに、シース602はペニス605にデバイス600の位置を確保して支援することができます保持特徴640を持つことができます。
【００６５】
保持特徴640はと統合またはシース602に結合されている周ポケット651を通って延びることができ保持コード650を含むことができます。 加えて、保持コード650は解放位置を固定することができ、固定機能653を含むことができ、 （例えば、摩擦を介して）保持コード650に沿って適用したり、ペニスの周りに保持コード650によって適用される周方向の力を維持することのいずれかを支援することができます。 例えば、使用中に、固定機能653は緩めることができます
陰茎を可能にするために（コードの先端に向かってコードに沿って進めネクタイは、）を挿入し、シース402内に配置されます。 加えて、固定機能653を締めることができます （すなわち、離れてコードの先端からコードに沿って前進）周方向の圧縮力を適用するために保持コード650を可能にするために、陰茎605にシース602を確保。
【００６６】
図7、取り外し可能な流体を収集するためのペニス705の少なくとも一部の上に配置することができる流体捕捉装置700の別の実施形態を示します。 例えば、デバイス700はシース702と、新しい吸収剤720と交換することができる取り外し可能な吸収体720を含むことができ、 上述しました。 例えば、吸収体720は、シース702の第二の開口部710を通ってシース702から除去することができます、 シース702は、ペニス705の上に位置しているなどの、等は上述しました。 さらに、シース702は保持特徴740を持つことができます、それはペニス705に装置700の位置を確保して支援することができます。
【００６７】
保持機構740は単一の遊離エンド保持コード752を含むことができ、それはと統合され周ポケット751を通って延びることができます、またはシース702に結合されました。 加えて、シングルフリーエンド保持コード752は、解放位置を固定することができ、固定機能753を含むことができ、（例えば、摩擦を介して）シングルフリーエンド保持コードに沿って752のいずれか適用を支援することができます、 または陰茎の周りの単一の遊離エンド保持コード752によって適用される周方向の圧縮力を維持します。 シングルフリーエンド保持コード752の一端、例えば、 いずれかのシースまたは周ポケット751に装着することができます。 シングルフリーエンド保持コード752の第二の端部は周ポケット751から延びて自由にすることができます、周圧縮力を調整することを支援します。 固定要素753は単一のフリーエンド保持コード調整及び円周圧縮力を維持することを補助するための752に隣接する第二の端部に結合することができます。 例えば、使用中、彼は機能753を緩めることができます確保します（遠位自由端に向かってコードに沿って前進）可能にするために陰茎を挿入すると、シース702内に配置されます。 固定機能753を締めることができます（すなわち、離れて遠位自由端からコードに沿って前進）円周圧縮力を適用し、ペニス705にシース702を確保を支援するために単一の遊離エンド保持コード752をできるようにするためです。
【００６８】
図8A-8C、取り外し可能な流体を収集するためのペニス805の少なくとも一部の上に配置することができる流体捕捉装置800の別の実施形態を示します。
例えば、デバイス800は、シース802と、新しい吸収剤820と交換することができる取り外し可能な吸収体820を含むことができ、上述しました。 例えば、吸収体820はシース802の第二の開口部810を通ってシース802から除去することができます、シース802はペニス805の上に位置しているなどの、等は上述しました。 さらに、シース802は、保持特徴840を持つことができます、それはペニス805にデバイス800の位置を確保して支援することができます。
【００６９】
保持機構840はシース802に連結することができる変形可能な弾性要素854を含むことができ、このように統合周ポケット851を通って延びるように、またはシース802に結合されました。 変形可能な弾性要素854はペニスとシース802の一部の周りに周方向の圧縮力を加えることができます、これはペニス805にシース802の位置を確保して支援することができます。 変形可能な弾性部材854はリング形状を有することができ、一つまたは様々な材料の複数の段階とすることができます、ニッケルチタン形状記憶合金を含みます
（ニチノール）かつ柔軟な、変形可能なポリマー。 さらに、 変形可能な弾性要素854はユーザのためのシースと快適さの保持率の所望のレベルを達成するために様々なサイズで製造することができます。
【００７０】
例えば、使用中に変形可能な弾性要素854を拡大することができます（図に示すように、8B） その収縮位置から（図8A参照）折り畳み位置に変形可能な弾性要素854範囲を圧縮すること。 これは、拡大して変形可能な弾性要素854を強制することができます、 そのペニス805はシース802に挿入され、陰茎シースを位置決めすることを可能にすることができます。 変形可能な弾性要素854を解放することができ、部分的に崩壊し、ペニスの周りに周方向の圧縮力を適用する変形可能な弾性要素854を可能にするために、これは、変形可能な弾性要素854は、ペニスの上に所望の位置にシース802を保持できるようにすることができます。
【００７１】
本明細書で論じ流体撮像装置の実施形態は、取り外し可能及び交換可能な吸収剤が挙げられますこれは、本明細書で説明吸収剤のいずれかを含むことができ以下に説明する実施形態の吸収性のいずれかを含みます。 吸収剤は、様々な形状およびサイズを有することができ、複数の形状を形成することを含みます、コンパクトと拡張形状や構成など。 例えば、コンパクトな構成が改善されたロードまたはシースからの吸収性のアンロードのいずれかを可能にすることができます。 吸収剤は、シース内の水分や配置のいずれかで接触したときに拡張された構成を形成することができますす遠位部内など。 吸収剤は、事前にロードすることができますこのような流体キャプチャデバイスが使用するためのシースの代わりに、すでに吸収剤が付属しています。 あるいは、または加えて、吸収剤は、いずれのシースの第一の開口部を介して、またはシースに沿って形成されたスリットを介してロードすることができます（例えば、図を参照してください。 22A - 22D ） 。
【００７２】
、また、吸収剤から延びる把持機構は、シースからの吸収剤をシース内に吸収剤を配置または除去のいずれかを補助するために使用することができます。 吸収剤を除去することができ、例えば、シースにおける第二の開口部を通って吸収剤を引っ張るための把持機構を引っ張ることにより、含まれているユーザは、ユーザの陰茎に固定シースを有しています。 といった 、柔軟な吸収性または弾性特性を含むことができる第二の開口部は、第二の開口部を介して除去することができますさらに、所望されるまで、吸収を防止しながら、第二の開口部を通って移動するので、吸収剤などを引いて第二の開口部を介してユーザ。 把持機構は、粘着テープを含んでもよいです（示されていません）ユーザが把持機構の遠位端を固定することを可能にする把持機構の遠位端にまたは接着材、（例えば、シース）把持機能を引っ張る意図しないないようにするためです。 把持機構は、吸収性と同じ又は異なる材料から作ることができます。 例えば、把持機構は、流体を吸収し、潜在的にシースから流体が漏れる把持機能を防止することができる疎水性材料、から作ることができます。
【００７３】
これは、代替吸収剤提供することができ例えば、個々のパッケージで、これは簡単で衛生的な輸送を可能にすることができます。 例えば、各吸収体は、約12 mlまで約8 mLの液体中に組み込むことができます 以下でより詳細に説明するように、吸収剤は、離散的、シースから取り外して交換することができユーザーがシースを装着している間を含みます。 シースは、ユーザが通常の機能を実行することを可能にすることができるスリット このような排尿として、ペニスから完全にシースを除去することなく、（すなわち、機能を保持するためには、セキュリティで保護されたままにすることができます） 。
【００７４】
加えて、流体を収集するための吸収剤として説明したが、体液のような（例えば、尿）、吸収剤は、様々な機能の任意の数を提供することができます。 例えば、吸収性保護を提供することができ、このように、傷を扱います。 あるいは、または加えて、吸収体は、ペニスの部分に送達するための少なくとも一つの薬剤を含浸させることができます。 さらに、それは、文字列または位置決め機能を示すタブとして記載されています、位置決め機能、測位に支援を提供するための任意の形状またはサイズを有することができます（例えば、負荷の1または削除） 、吸収性シースの相対的な。
【００７５】
図。図9A及び図9Bは、拡大し、コンパクトな構成で吸収体920の実施形態を示して、それぞれ。 コンパクトな構成 これは、円筒形状を有することができます挿入またはシースから吸収剤920の除去のいずれかを支援することができます。 加えて、吸収体920は、吸収体920の伸縮を可能にする材料で作ることができます流体の吸収に応答したような、吸収性の周りの制限の解除、または吸収剤920が膨張し、コンパクトな構成の両方を形成することを可能にする種々の方法のいずれか。 さらに、吸収剤920は、把持機能922は、吸収性の920にして統合または固定することができます、吸収剤920の除去または挿入のいずれかを補助することができます。
【００７６】
拡張された構成で、少なくとも、吸収剤920は、キャビティ925を含んでいる中空の形成を持つことができます。 また、吸収性920は、サイズおよび陰茎の先端部の少なくとも一部を取り囲むように成形することができます。 例えば、吸収剤、空洞925を形成する壁のような、ペニスの少なくとも頭部を囲むことができます。 吸収剤は対称または非対称であることができ、様々な形状およびサイズを有することができます。
【００７７】
図10Aは、統合または吸収1020に結合された把持機構1022の1にまで拡張された構成ですが、私は、吸収1020の別の実施形態を示します。 吸収性1020は、キャビティ1025を備えて中空形成することができます。 Iまた、吸収剤は、一つ以上の連続した平坦面を含むことができ円錐と円筒形成を形成することができます。図10Bは、拡張された構成では、吸収1021の別の実施形態を示します、これは、1つまたは複数の平坦な表面を含みます。 吸収体1020と1021は、拡張とコンパクトな構成の両方を形成することができます。
【００７８】
図。 1 （a）と1 （b）は、折りたたみと展開構成の吸収性1 120の別の実施形態を示します、それぞれ。 吸収剤から作製することができます
吸収性1 120は、平らな形成に崩壊することを可能にすることができます複雑なパターン、図に示すように。 1 1 A.例えば、ユーザは、グリップの外表面に結合した122一吸収体1 120備えて引っ張ることができます、 1 120は、拡張構成に拡張するための吸収性が発生する可能性があり、図に示すように。 1 IB 。 折り畳まれた構成は、吸収性1 120の容易なと離散輸送を可能にすることができ、拡張構成は、キャビティ1 125を備える中空の形成を持つことができます。
【００７９】
図図12A及び図12Bは、非対称構造を有する吸収性部材1220の代替実施形態を示しています。 吸収性1220はまた、空洞1225が含まれており、コンパクトで拡張された構成を形成することができる中空の形成を持つことができます。 例えば、吸収剤1220の細長い側は解剖学的特徴とシース内ペニスの位置付けを説明することができます。
【００８０】
図。 13-15は、外部の測位機能1354を含む吸収性のさらなる実施形態を示して、これは、シース内吸収性の位置を確保して支援することができ、シースの遠位部内など。 一つまたは外部の特徴1354の様々な複数が、吸収性の表面に沿って含まれてもよいです、本明細書で説明する吸収性の態様のいずれかを含みます。 たとえば、外部機能1354は、接着剤を含むことができ、フック・ループ型ファスナーシステム、グリップはさもなければシースの内面に付着することができる機械的噛合面、および/または1つ以上の押出成形幾何学的特徴。
【００８１】
図13は、接着剤やテープ1355を含め、外部の特徴1354の実施形態の吸収1320を示しています、これは、ピールアウェイライナーを含めることができます。 加えて、イチジク。 14は、外部の機能押し出された幾何学的特徴を含む1354の実施形態で吸収剤1420を示していますこのような隆起した球状の特徴1455として、それは、シース内に（摩擦を経由して、例えば）吸収性の確保を支援することができます。 さらに、イチジク。 15のような1以上の隆起したリング1555 、外部機能押し出された幾何学的特徴を含む1354の実施形態を有する吸収性を示し、、それは、シース内に（摩擦を経由して、例えば）吸収性の確保を支援することができます。
【００８２】
図図16は、吸収性を示しています、図に示される吸収体920のような。図9 、テーパ状の円筒形状を有する固定要素1670の実施形態を含む把持機構1622に結合されました。 例えば、固定要素1670は、シースに吸収剤を位置決めを支援することができます、シースの近位端に、シースの遠位端から移動するのを防止することにより、吸収性など。 
固定機能1670は、様々な形状および大きさのいずれかとすることができます。 例えば、図に示すように。 17 、吸収体920は、丸いまたは球形の形状を有する固定要素1770の実施形態を含む把持機構1722に結合することができます。
【００８３】
図18は、吸収性構造体を再利用可能なコンポーネントが含まれるように1890を示している1892年と1820年の吸収性、使い捨てとすることができます。 使用中、吸収体1820はに固定され、少なくとも部分的に再利用可能な構成要素1892内に収容することができます。 また、再利用可能な構成要素1892は、シースに固定することができます、シースの遠位部内など。 例えば、再利用可能な構成要素1892は、洗浄及び/又はそれを再利用することができるように消毒することができます。 また、吸収性1820は、再利用可能な構成要素1892から除去することができ、新たな吸収剤に置き換えます。 吸収剤の加えて、いくつかの実施形態（吸収体の実施形態のいずれかは、本明細書に開示含みます）再利用可能にすることができ、そのような洗浄および/または再利用のために消毒することができる吸収剤として。
【００８４】
図に示すように。 19 、吸収体1920は、材料の1つ以上の層を含むことができ、方向的に透過性材料1921を含みます、吸収性材料1922 、および耐湿性材料1923 。 加えて、材料の層は、吸収性の内側表面を形成します（すなわち、使用中にペニスに最も近い位置） 、方向的に透過性材料1921を含むことができ、これは離れてペニスからの流体や湿気を向けるのを支援することができます。 吸収性1920 、吸収材1922が吸収され、それは私がそれを行うことができます陰茎から回収液や水、それが含むことができ、隣接する材料1922の方向性透過性材料の層1921を含むことができるようにするためであります吸収層。 また、吸収性1920は防湿層を含んでいてもよい、 1923は、吸収性の外側表面を形成します、これは、吸収剤内の流体と水分を含有するのを助けることができます。
【００８５】
吸収剤は、1つまたは様々な材料の複数の段階とすることができます。 例えば、吸収剤は、ハイドロゲルを含むことができ、ヒドロキシエチルセルロース、シリカゲル、polymethlymethacrylateゲル、粘土など 吸収材、不織布、押出成形、カレンダー加工、ニット、スピン結合は、織ることができ 加えて、吸収性の外側表面は、水性液体の通過に対して不透過性である材料を含むことができます、どの物理的特性の結果である材料、および/または補助処理、処理することができ、そのような添加剤によって供給することができます。 加えて、。外面は、優先方向または双方向のいずれかでそれを通る空気の通過を可能にすることができます。 吸収性の種々の構成要素および材料は、組み立て、などの技術を用いて一緒に固定することができます
【００８６】
図図20は、吸収体2020はタブ2095を含む統合された把持機構2022を有する別の実施形態を示します。イチジク。 20は、統合されたタブ2095を含む機能2022を保持しているとの吸収2020の別の実施形態を示しています。 例えば、統合されたタブ2095は、一緒に結合または吸収剤の1つまたは複数の材料を接着することにより形成することができます。 統合されたタブ2095は、様々な形状や大きさの数に制限はありません。
【００８７】
図図21は、統合されたシーム2195を含む把持機能2122有する吸収2120の別の実施形態を示します。 例えば、 2195ジョイント統合コードを用いて形成することができるか、文字列が吸収剤に組み込まれています、図に示すように。 21 。
【００８８】
本明細書中に開示される種々の流体獲得装置は、少なくとも陰茎の一部、一つまたは種々の流体の数を収集するために使用することができるカバーするものです。 例示的な方法は、陰茎の上に流体撮像装置を位置決めするための以下に説明されているが、同様に取り外しと吸収の交換など、当業者は、流体除去装置は、本明細書で論じる例示的な方法に限定されるものではないことを理解するであろう。
【００８９】
図。図22A - 22Dは、概略的に、取り外し可能な吸収性を有する流体捕捉装置を使用する1つの例示的な方法を示して 以下に詳述する方法は、上記に開示される装置および機能のいずれかと共に使用することができ（例えば、流体キャプチャなどのデバイス100 、 200 、 300 、 400 、 500 、 600 、 700 、吸収器920 、 1020 、 1021 、 1120 、 1220 、 1320 、 1420 、 1520 、 2020 、 2120 ） 、必要な変更が当業者には明らかであると、上記の開示を読みました。 一例として、この方法は、図1の流体捕捉装置100に関連して説明されています。
【００９０】
で開始するには、使用者のペニス105の遠位端は、シース102に挿入することができ近位部分104の第1開口部108を介してのような。 近位部分104のいずれかが陰茎105または105は、シース102の遠位部分106のうちの最後の部分内に配置され、陰茎の頭部の近位端に隣接して配置されるまで陰茎105を挿入することができます。 また、シース102は、保持機構によって、ペニスの相対位置に固定することができます、本明細書に開示された保持機能の少なくともいずれかを含みます。
【００９１】
ユーザは、一定期間のための装置100をキャプチャする流体を着ることができます（例えば、一つ以上の時間、日、等） 。 例えば、シース102は、連続的な使用を可能にする材料および装置100を捕捉する流体の磨耗から作ることができます。 加えて、流体捕捉装置100の任意の部分、含むいずれかのシース102または吸収剤120 、除去およびその後の身に着けているユーザによる使用のために洗浄することができます。 また、上述したように、新しい吸収剤120は、シース102に挿入され、また一方で100は、吸収性120ながら着用することができ、流体捕捉デバイスは、シースから除去され  以下でより詳細に説明します。
【００９２】
図22 Aはペニスの一部がスリット2200を介してシース102から除去されながらペニス105に固定装置100を捕獲する流体を示しています。 スリット2200は、離散的かつ簡単に、このような排尿のためとして、シースからペニスを削除するには、ユーザーのための方法を提供することができ、排尿のためなど、保持を解放することなく、 140を備え、ペニスから完全にシース102を削除します。
【００９３】
図22Bユーザが把持機構122を引っ張ると、第二の開口部1 10を通ってシース102から外吸収剤120を引っ張って示しています。 シース102は、ペニス105に固定されている間に加えて、吸収剤120を除去することができます。 陰茎を除去して吸収器120間のスリット2200を介して描かれたさらに、ものの示し、ペニスは、代替的に、シース102内に収容することができ（すなわち、スリット2200を介して引き出されていません）
吸収剤120ながら削除されています。
【００９４】
図に示すように。 22C 、新しい吸収剤120は、スリット2200を介してシース102内に挿入することができます。 例えば、ユーザーは、スリット2200を介して新たな吸収剤120を挿入することができますコンパクトな構成で、新しい吸収剤120を含みます。 加えて、
ユーザーは、把持機能122を使用することができます、これは、第二の開口部1 10を通って延びることができます、先端部シース106内吸収性を配置するために、図に示すように。 22D 。
【００９５】
さらに、または代替的には、新しい吸収剤120は、第1開口部108、またはシース102に設けられ、他の開口部を介してシース102内に挿入することができます。 例えば、
吸収剤120は、コンパクトな構成に挿入することができ、一回シース102内に配置された拡張された構成に拡張することができます。
加えて、陰茎が新しい吸収剤120が挿入されている間にスリット2200を通って引き出されるように示されているが、ペニスは、代替的に、シース102内に収容することができ（すなわち、スリット2200を介して引き出されていません）新しい吸収剤120ながら挿入されています。
【００９６】
上記および特許請求の範囲の記載で、語句は、 「少なくともの一つまたは「一つまたはそれ以上のような要素または特徴の連言リストに続いて発生することができます。 用語「および/または」は、 2つ以上の要素または特徴のリストで起こり得ます。 特に断りのない限り暗黙的または明示的にそれが使用されるコンテキスト、 102によって否定。そのような語句は、列挙された要素のいずれかを意味することを意図して、または個別に、又は他の列挙の要素または特徴のいずれかと組み合わせて、列挙の要素または特徴の任意の特徴とされます。 例えば、語句「 AΒとの少なくとも一方; "「 1またはAとΒツイスト; "そして、「 Aおよび/またはB 」は、それぞれ意味することが意図される」 、 B単独で、または一緒に単に「 AとB 同様の解釈は、3つ以上のアイテムを含むリストを対象としています。 例えば、語句「 A 、 B 、およびCの少なくとも一つ; " 「一またはA 、 B 、及びCのより; "そして、「 A 、 B 、および/またはC 」「 Bのみ、Cのみ、 Aと一緒にAとC 、 BとC一緒、またはA 、 BおよびCとBが一緒になって、それぞれ単独で、意味することを意図しています」 用語の使用」に基づき、 「上記および特許請求の範囲では、意味することを意図していますこのような特徴は、または記載されていない要素も許される」とは、少なくとも、一部に基づいて、 " 。
【００９７】
の実装は、本明細書に記載の主題に一致するすべての実装を表すものではない、上記の説明に記載さ。 代わりに、彼らは単に説明の主題に関連する側面と一致していくつかの例です。代わりに、記載されている主題に関連する態様と一致する例のいくつかは、単純に、あります。 いくつかのバリエーションは、本明細書で詳細に説明してきたが、他の修正や追加が可能です。 具体的には、さらなる特徴および/または変形は、本明細書に記載されたものに加えて提供することができます。 例えば、上述の実施態様は、種々の組み合わせおよび開示された特徴のサブコンビネーションおよび/またはそれらの組み合わせ、および本明細書にさらに開示されたものに1つまたは複数の特徴のサブコンビネーションを対象とすることができます。 また、ロジックは、必ずしも望ましい結果を達成するために、示された特定の順序、またはシーケンシャルな順序を必要としない、添付の図面に示されかつ/または本明細書に記載流れます。 以下の特許請求の範囲は、他のインプリメンテーションまたは実施形態を含むことがあります。
【図１】
2016531671.tif 000003
【図２】
2016531671.tif 000004
【図３Ａ】
2016531671.tif 000005
【図３Ｂ】
2016531671.tif 000006
【図４】
2016531671.tif 000007
【図５Ａ】
2016531671.tif 000008
【図５Ｂ】
2016531671.tif 000009
【図６Ａ】
2016531671.tif 000010
【図６Ｂ】
2016531671.tif 000011
【図７】
2016531671.tif 000012
【図８Ａ】
2016531671.tif 000013
【図８Ｂ】
2016531671.tif 000014
【図８Ｃ】
2016531671.tif 000015
【図９Ａ】
2016531671.tif 000016
【図９Ｂ】
2016531671.tif 000017
【図１０Ａ】
2016531671.tif 000018
【図１０Ｂ】
2016531671.tif 000019
【図１１Ａ】
2016531671.tif 000020
【図１１Ｂ】
2016531671.tif 000021
【図１２Ａ】
2016531671.tif 000022
【図１２Ｂ】
2016531671.tif 000023
【図１３】
2016531671.tif 000024
【図１４】
2016531671.tif 000025
【図１５】
2016531671.tif 000026
【図１６】
2016531671.tif 000027
【図１７】
2016531671.tif 000028
【図１８】
2016531671.tif 000029
【図１９】
2016531671.tif 000030
【図２０】
2016531671.tif 000031
【図２１】
2016531671.tif 000032
【図２２Ａ】
2016531671.tif 000033
【図２２Ｂ】
2016531671.tif 000034
【図２２Ｃ】
2016531671.tif 000035
【図２２Ｄ】
2016531671.tif 000036
【国際調査報告】
2016531671.tif 000037
2016531671.tif 000038